(57)【要約】【課題】ユーザが使用するセンサ機器の情報に基づいて提供され得るサービスの候補をユーザに提示し、その候補の内から、ユーザの選択を受け付け得るサービス管理システム等を提供すること。【解決手段】本発明のサービス管理システム１は、ユーザが使用するセンサ機器４と、センサ機器４が取得したセンサデータを使用してユーザに対してサービスを提供するサービス事業者装置３と、センサ機器４及びサービス事業者装置３と接続されたサービス管理装置２と、を有し、サービス管理装置２は、センサ機器４が取得できるデータの種類に基づき、サービス事業者装置２が提供できるサービスを、ユーザ９毎に抽出し、抽出したサービスのなかから、ユーザ９による選択を受け付けること、を特徴とする。【選択図】図１
2010205098.tif 000002
【特許請求の範囲】
【請求項１】
ユーザが使用するセンサ機器と、
前記センサ機器が取得したセンサデータを使用して前記ユーザに対してサービスを提供するサービス事業者装置と、
前記センサ機器及び前記サービス事業者装置と接続されたサービス管理装置と、
を有するサービス管理システムであって、
前記サービス管理装置の記憶部は、
前記ユーザが使用する前記センサ機器が取得できるデータの種類に関する情報と、
データの種類と前記データの種類に対して提供可能なサービスとを対応付けた対応情報と、を記憶し、
前記サービス管理装置の制御部は、
前記センサ機器が取得できるデータの種類に基づき、前記サービス事業者装置が提供できるサービスを、ユーザ毎に抽出し、
前記抽出したサービスのなかから、ユーザによる選択を受け付けること、
を特徴とするサービス管理システム。
【請求項２】
ユーザが使用するセンサ機器と、
前記センサ機器が取得したセンサデータを使用して前記ユーザに対してサービスを提供するサービス事業者装置と、
前記センサ機器及び前記サービス事業者装置と接続されたサービス管理装置と、
を有するサービス管理システムであって、
前記サービス管理装置の記憶部は、
センサ機器の機種を一意に特定する第１の識別子に関連付けて、前記センサ機器が取得できるデータの種類を記憶した、機器情報データベースと、
前記サービスを一意に特定する第２の識別子に関連付けて、前記サービスに使用されるデータの種類を記憶した、サービス情報データベースと、
を備え、
前記サービス管理装置の制御部は、
前記ユーザが使用するセンサ機器の機種を特定する前記第１の識別子を受け付け、
前記受け付けた第１の識別子を検索キーとして、前記機器情報データベースを検索して、前記センサ機器が取得できるデータの種類を取得し、
前記サービス情報データベースを検索して、前記サービスに使用されるデータの種類のすべてが前記取得したセンサ機器が取得できるデータの種類のなかに含まれるレコードの前記第２の識別子を取得し、
前記ユーザ毎に、前記取得した第２の識別子が特定するサービスを提示し、
前記提示した第２の識別子のなかから前記ユーザによる選択を受け付けること、
を特徴とするサービス管理システム。
【請求項３】
前記サービス管理装置の記憶部は、
前記ユーザを一意に特定する第３の識別子に関連付けて、前記第２の識別子を記憶したユーザ情報データベースを備え、
前記サービス管理装置の制御部は、
前記提示した第２の識別子のなかから前記ユーザによる選択を受け付けると、
前記ユーザ情報データベースの前記第３の識別子に関連付けて、前記選択を受け付けた第２の識別子を記憶し、
前記ユーザ毎に、提供を受けることが可能なサービスとは区別して、前記選択を受け付けた第２の識別子が特定するサービスについての情報を提示すること、
を特徴とする請求項２に記載のサービス管理システム。
【請求項４】
前記サービス管理装置の制御部は、
前記第３の識別子を受け付け、
前記受け付けた前記第３の識別子を検索キーとして、前記ユーザ情報データベースを検索して、該当したレコードを削除すること、
を特徴とする請求項３に記載のサービス管理システム。
【請求項５】
前記ユーザ情報データベースは、前記第３の識別子に関連付けて、前記センサ機器を一意に特定する第４の識別子を記憶し、
前記サービス管理装置の制御部は、
前記第２の識別子又は第４の識別子を受け付け、
前記受け付けた第２の識別子又は第４の識別子を検索キーとして、前記ユーザ情報データベースを検索して、該当したレコードの前記センサ機器についての登録情報又は前記サービスについての登録情報を削除すること、
を特徴とする請求項４に記載のサービス管理システム。
【請求項６】
前記サービス管理装置の記憶部は、
前記第４の識別子に関連付けて、前記センサデータを記憶する、センサデータ格納データベースを備え、
前記サービス事業者装置の記憶部は、
前記第３の識別子に関連付けて、前記第４の識別子を記憶した、サービスユーザ情報データベースを備え、
前記サービス管理装置の制御部は、
前記サービス事業者装置から、前記第２の識別子、前記第３の識別子及び前記第４の識別子を受け付けると、
前記第２の識別子、前記第３の識別子及び前記第４の識別子を検索キーとして、前記ユーザ情報データベースを検索し、該当するレコードが存在することが確認できた場合は、
前記受け付けた第４の識別子を検索キーとして、前記センサデータ格納データベースを検索し、該当したレコードのセンサデータを取得し、
前記取得したセンサデータを前記サービス事業者装置に対し送信すること、
を特徴とする請求項５に記載のサービス管理システム。
【請求項７】
前記センサ機器は、前記センサデータを受信して前記サービス管理装置に対して送信するセンサゲートウエイ機器を介して、前記サービス管理装置に対して接続されていること、
を特徴とする、請求項１又は請求項２に記載のサービス管理システム。
【請求項８】
前記センサ機器は、前記センサゲートウエイ機器に対して、前記センサデータを無線通信の方法で送信すること、
を特徴とする請求項７のサービス管理システム。
【請求項９】
ユーザが使用するセンサ機器と、
前記センサ機器が取得したセンサデータを使用して前記ユーザに対してサービスを提供するサービス事業者装置と、
に対して接続されるサービス管理装置であって、
前記サービス管理装置の記憶部は、
前記ユーザが使用する前記センサ機器が取得できるデータの種類に関する情報と、
データの種類と前記データの種類に対して提供可能なサービスとを対応付けた対応情報と、を記憶し、
前記サービス管理装置の制御部は、
前記センサ機器が取得できるデータの種類に基づき、前記サービス事業者装置が提供できるサービスを、ユーザ毎に抽出し、
前記抽出したサービスのなかから、ユーザによる選択を受け付けること、
を特徴とするサービス管理装置。
【請求項１０】
ユーザが使用するセンサ機器と、
前記センサ機器が取得したセンサデータを使用して前記ユーザに対してサービスを提供するサービス事業者装置と、
に対して接続されるサービス管理装置であって、
前記サービス管理装置の記憶部は、
センサ機器の機種を一意に特定する第１の識別子に関連付けて、前記センサ機器が取得できるデータの種類を記憶した、機器情報データベースと、
前記サービスを一意に特定する第２の識別子に関連付けて、前記サービスに使用されるデータの種類を記憶した、サービス情報データベースと、
を備え、
前記サービス管理装置の制御部は、
前記ユーザが使用するセンサ機器の機種を特定する前記第１の識別子を受け付け、
前記受け付けた第１の識別子を検索キーとして、前記機器情報データベースを検索して、前記センサ機器が取得できるデータの種類を取得し、
前記サービス情報データベースを検索して、前記サービスに使用されるデータの種類のすべてが前記取得したセンサ機器が取得できるデータの種類のなかに含まれるレコードの前記第２の識別子を取得し、
前記ユーザ毎に、前記取得した第２の識別子が特定するサービスを提示し、
前記提示した第２の識別子のなかから前記ユーザによる選択を受け付けること、
を特徴とするサービス管理装置。
【請求項１１】
前記サービス管理装置の記憶部は、
前記ユーザを一意に特定する第３の識別子に関連付けて、前記第２の識別子を記憶したユーザ情報データベースを備え、
前記サービス管理装置の制御部は、
前記提示した第２の識別子のなかから前記ユーザによる選択を受け付けると、
前記ユーザ情報データベースの前記第３の識別子に関連付けて、前記選択を受け付けた第２の識別子を記憶し、
前記ユーザ毎に、提供を受けることが可能なサービスとは区別して、前記選択を受け付けた第２の識別子が特定するサービスについての情報を提示すること、
を特徴とする請求項１０に記載のサービス管理装置。
【請求項１２】
前記サービス管理装置の制御部は、
前記第３の識別子を受け付け、
前記受け付けた前記第３の識別子を検索キーとして、前記ユーザ情報データベースを検索して、該当したレコードを削除すること、
を特徴とする請求項１１に記載のサービス管理装置。
【請求項１３】
前記ユーザ情報データベースは、前記第３の識別子に関連付けて、前記センサ機器を一意に特定する第４の識別子を記憶し、
前記サービス管理装置の制御部は、
前記第２の識別子又は第４の識別子を受け付け、
前記受け付けた第２の識別子又は第４の識別子を検索キーとして、前記ユーザ情報データベースを検索して、該当したレコードの前記センサ機器についての登録情報又は前記サービスについての登録情報を削除すること、
を特徴とする請求項１２に記載のサービス管理装置。
【請求項１４】
前記サービス管理装置の記憶部は、
前記第４の識別子に関連付けて、前記センサデータを記憶する、センサデータ格納データベースを備え、
前記サービス管理装置の制御部は、
前記サービス事業者装置から、前記第２の識別子、前記第３の識別子及び前記第４の識別子を受け付けると、
前記第２の識別子、前記第３の識別子及び前記第４の識別子を検索キーとして、前記ユーザ情報データベースを検索し、該当するレコードが存在することが確認できた場合は、
前記受け付けた第４の識別子を検索キーとして、前記センサデータ格納データベースを検索し、該当したレコードのセンサデータを取得し、
前記取得したセンサデータを前記サービス事業者装置に対し送信すること、
を特徴とする請求項１３に記載のサービス管理装置。
【請求項１５】
前記センサデータを受信して前記サービス管理装置に対して送信するセンサゲートウエイ機器を介して、前記センサ機器に対して接続されていること、
を特徴とする、請求項９又は請求項１０に記載のサービス管理装置。
【発明の詳細な説明】
【技術分野】
【０００１】
本発明は、サービス管理システム及びサービス管理装置に関する。
【背景技術】
【０００２】
無線技術及びネットワーク技術の発展に伴い、身の回りの物の動き、身の回りの環境の温度・湿度、人の血圧・体重などの情報をセンサ機器で取得し、その取得した情報を、ネットワークを介して収集することが可能になっている。収集した情報を用いて、生活習慣改善、在宅介護支援、児童・高齢者見守り、防犯・防災、省エネ等のサービスに役立てることが期待されている。
例えば、特許文献１に記載の情報収集提供システムにおいては、ユーザはテレビ受信機等の機器に関する情報を「情報センタ」に送信する。「クライアント」は、「情報センタ」に記憶されたユーザの機器に関する情報を参照し、ユーザに対して、広告メッセージ、機器異常時の対処方法等を送信する。
【先行技術文献】
【特許文献】
【０００３】
【特許文献１】特開２００２−１８９６４７号公報（段落００８５〜００８７）
【発明の概要】
【発明が解決しようとする課題】
【０００４】
しかしながら、特許文献１の情報収集提供システムにおいては、ユーザは、「クライアント」が提供する複数のサービスの候補の中から、自らが使用する機器に適合するサービスを選択することはできない。
【０００５】
そこで、本発明では、ユーザが使用するセンサ機器が取得する情報に基づいて提供され得るサービスの候補をユーザに提示し、その候補の内から、ユーザの選択を受け付け得るサービス管理システム等を提供することを目的とする。
【課題を解決するための手段】
【０００６】
本発明のサービス管理システムは、ユーザが使用するセンサ機器と、センサ機器が取得したセンサデータを使用してユーザに対してサービスを提供するサービス事業者装置と、センサ機器及びサービス事業者装置と接続されたサービス管理装置と、を有し、サービス管理装置は、センサ機器が取得できるデータの種類に基づき、サービス事業者装置が提供できるサービスを、ユーザ毎に抽出し、抽出したサービスのなかから、ユーザによる選択を受け付けること、を特徴とする。
【発明の効果】
【０００７】
本発明によれば、ユーザが使用するセンサ機器が取得する情報に基づいて提供され得るサービスの候補をユーザに提示し、その候補の内から、ユーザの選択を受け付け得るサービス管理システム等を提供することが可能になる。
【図面の簡単な説明】
【０００８】
【図１】本実施形態に係る全体構成及びサービス管理装置の構成を示す図である。
【図２】（ａ）は、本実施形態に係るサービス事業者装置の構成を示す図である。（ｂ）は、本実施形態に係るセンサ機器の構成を示す図である。（ｃ）は、本実施形態に係るセンサゲートウエイ機器の構成を示す図である。
【図３】（ａ）は、本実施形態に係るセンサ機器固有情報データベースの一例を示す図である。（ｂ）は、本実施形態に係るセンサゲートウエイ機器固有情報データベースの一例を示す図である。
【図４】本実施形態に係る機器情報データベースの一例を示す図である。
【図５】本実施形態に係るサービス情報データベースの一例を示す図である。
【図６】（ａ）は、本実施形態に係るユーザ情報データベースの一例を示す図である。（ｂ）は、本実施形態に係るセンサデータ格納データベースの一例を示す図である。
【図７】（ａ）は、本実施形態に係るサービスユーザ情報データベースの一例を示す図である。（ｂ）は、本実施形態に係るセンサデータパケットの一例を示す図である。
【図８】本実施形態に係るユーザガイドページの一例を示す図である。
【図９】（ａ）は、本実施形態に係る機器情報登録処理手順のフローチャートである。（ｂ）は、本実施形態に係る機器情報登録処理手順のシーケンス図である。
【図１０】（ａ）は、本実施形態に係るサービス情報登録処理手順のフローチャートである。（ｂ）は、本実施形態に係るサービス情報登録処理手順のシーケンス図である。
【図１１】（ａ）は、本実施形態に係るユーザ情報登録処理手順のフローチャートである。（ｂ）は、本実施形態に係るユーザ情報登録処理手順のシーケンス図である。
【図１２】本実施形態に係るユーザセンサ機器登録処理手順のフローチャートである。
【図１３】本実施形態に係るユーザセンサ機器登録処理手順のシーケンス図である。
【図１４】本実施形態に係るユーザサービス登録処理手順のフローチャートである。
【図１５】本実施形態に係るユーザサービス登録処理手順のシーケンス図である。
【図１６】（ａ）は、本実施形態に係るセンサデータ受信処理手順のフローチャートである。（ｂ）は、本実施形態に係るセンサデータ受信処理手順のシーケンス図である。
【図１７】（ａ）は、本実施形態に係るデータリクエスト応答処理手順のフローチャートである。（ｂ）は、本実施形態に係るデータリクエスト応答処理手順のシーケンス図である。
【図１８】（ａ）は、本実施形態に係る機器情報削除処理手順のフローチャートである。（ｂ）は、本実施形態に係る機器情報削除処理手順のシーケンス図である。
【図１９】（ａ）は、本実施形態に係るサービス情報削除処理手順のフローチャートである。（ｂ）は、本実施形態に係るサービス情報削除処理手順のシーケンス図である。
【図２０】本実施形態に係るユーザ情報削除処理手順のフローチャートである。
【図２１】本実施形態に係るユーザ情報削除処理手順のシーケンス図である。
【図２２】本実施形態に係るユーザセンサ機器削除処理手順のフローチャートである。
【図２３】本実施形態に係るユーザセンサ機器削除処理手順のシーケンス図である。
【図２４】本実施形態に係るユーザサービス削除処理手順のフローチャートである。
【図２５】本実施形態に係るユーザサービス削除処理手順のシーケンス図である。
【発明を実施するための形態】
【０００９】
以降、本発明を実施するための形態（「本実施形態」という）を、図等を参照しながら詳細に説明する。
【００１０】
（用語）
（１）センサ機器とは、センサが取得したデータを外部の機器に対して有線通信又は無線通信の方法で送信しうる機器である。例えば、体重計、血圧計、電力計、温湿度計等である。
（２）ユーザとは、センサ機器を使用する者であり、後記する「サービス」の受益者でもある。
（３）サービスとは、センサ機器が取得したデータに基づいて、ユーザに対して提供される便益をいう。例えば、「ダイエット支援」、「健康指導」、「電力監視」、「ビニルハウス温度監視」等である。
（４）サービス事業者装置とは、サービスをユーザに対して提供する装置である。
（５）サービス管理装置とは、センサ機器とサービス事業者機器とに接続されており、ユーザと、サービスとの仲介を行う装置である。
（６）センサゲートウエイ機器とは、サービス管理装置と接続されており、センサ機器が送信したデータをサービス管理装置に転送する装置である。
【００１１】
図１は、本実施形態に係る全体構成及びサービス管理装置の構成を示す図である。
ネットワーク８を介して、サービス管理装置２、サービス事業者装置３、ユーザ端末装置５、センサゲートウエイ機器６、及びセンサ機器製造事業者装置７が相互に接続されている。センサ機器４は、センサ機器４との間で無線通信が可能なセンサゲートウエイ機器６を介してネットワーク８に接続されている。
サービス管理システム１は、サービス管理装置２、サービス事業者装置３、及びセンサ機器４を有する。
【００１２】
（サービス管理装置）
サービス管理装置２は、一般的なコンピュータであり、中央制御装置１１、主記憶装置１２、補助記憶装置１３、出力装置１４、入力装置１５及び通信インタフェース（ＩＦ）１６を有している。これらは相互にバスで接続されている。
補助記憶装置１３には、機器情報データベース４１、サービス情報データベース４２、ユーザ情報データベース４３、センサデータ格納データベース４４及びユーザガイドページ８１が格納されている。
主記憶装置１２の機器情報登録削除部３１、サービス情報登録削除部３２、ユーザ情報登録削除部３３、センサデータ受信部３４、ユーザセンサ機器登録削除部３５、及びユーザサービス登録削除部３６は、いずれもプログラムである。以降、「○○部は」と主体を記した場合は、中央制御装置１１が、補助記憶装置１３から各プログラムを読み出し、主記憶装置１２にロードしたうえで、各プログラムの機能を実現するものとする。図１では、１台のサービス管理装置２を記載したが、前記プログラムやデータベースが、複数の筐体に分散して格納されていてもよい。
【００１３】
（サービス事業者装置）
図２（ａ）は、本実施形態に係るサービス事業者装置の構成を示す図である。
サービス事業者装置３は、一般的なコンピュータであり、中央制御装置５１、主記憶装置５２、補助記憶装置５３、入力装置５４、出力装置５５及び通信インタフェース（ＩＦ）５６を有している。これらは相互にバスで接続されている。補助記憶装置５３にはサービスユーザ情報データベース４５が格納されている（図１参照。図２（ａ）では図示を省略した）。
【００１４】
（センサ機器）
図２（ｂ）は、本実施形態に係るセンサ機器の構成を示す図である。
センサ機器４は、中央制御装置６１、主記憶装置６２、補助記憶装置６３、表示部６４、センサ部６５及び無線処理部６６を有している。これらは相互にバスで接続されている。補助記憶装置６３には、センサ機器固有情報データベース６８が格納されている。補助記憶装置６３のアプリケーションプログラム６７は、センサ部６５が取得した情報をセンサゲートウエイ機器６に送信するためのプログラムである。中央制御装置６１が、補助記憶装置６３からアプリケーションプログラム６７を読み出し、主記憶装置６２にロードした上で、アプリケーションプログラム６７を実行する。
センサ部６５は、温度や湿度、又は体重計や血圧計などの情報を検知し、データとして取得する。
無線処理部６６は、センサゲートウエイ機器６の無線処理部７６に対してセンサ部６５が取得したデータの送信を行う。無線通信の方式としては、例えばIEEE802.11a、IEEE802.11b、IEEE802.11g、IEEE802.15.4、BLUETOOTH（登録商標）、特定小電力無線、UWBなどがある。
【００１５】
（センサゲートウエイ機器）
図２（ｃ）は、本実施形態に係るセンサゲートウエイ機器の構成を示す図である。
センサゲートウエイ機器６は、中央制御装置７１、主記憶装置７２、補助記憶装置７３、表示部７４、通信インタフェース（ＩＦ）７５及び無線処理部７６を有している。これらは相互にバスで接続されている。補助記憶装置７３には、センサゲートウエイ機器固有情報データベース７８が格納されている。
補助記憶装置７３のパケット転送プログラム７７は、センサ機器４から受信した情報を、サービス管理装置２に送信するためのプログラムである。中央制御装置７１が、補助記憶装置７３からパケット転送プログラム７７を読み出し、主記憶装置７２にロードした上で、パケット転送プログラム７７を実行する。
【００１６】
（ユーザ端末装置）
ユーザ端末装置５は、ユーザが使用する一般的なコンピュータである。ユーザは、ユーザ端末装置５を介して、サービス管理装置２の生成したユーザガイドページ８１を閲覧し、利用可能なサービスを知り、また、利用するサービスを選択し、登録する（詳細後記）。センサゲートウエイ機器６の構成は、サービス事業者装置３の構成に準じる（図２（ａ）参照）。
【００１７】
（センサ機器製造事業者装置）
センサ機器製造事業者装置７は、センサ機器の製造者が使用する一般的なコンピュータである。センサ機器製造事業者は、センサ機器製造事業者装置７を介して、サービス管理装置２に対してセンサ機器４についての情報を登録する（詳細後記）。センサ機器製造事業者装置７の構成は、サービス事業者装置３の構成に準じる（図２（ａ）参照）。
【００１８】
図１に戻って、サービス事業者装置３は、１台又は複数台存在する。センサ機器製造事業者装置７もまた、１台又は複数台存在する。
ユーザ９も１人又は複数人存在する。ある１人のユーザ９のもとには、センサ機器４が、１台又は複数台存在し、ユーザ端末装置５も１台又は複数台存在する。しかしながら、１人のユーザ９に使用されるユーザ端末装置５は１台であることが一般的である。
【００１９】
（センサ機器固有情報データベース）
図３（ａ）は、本実施形態に係るセンサ機器固有情報データベースの一例を示す図である。
センサ機器固有情報データベース６８においては、センサ機器ＩＤ、機器フォーマットＩＤ及び無線ＩＤが記憶されている。
センサ機器ＩＤ欄１０１のセンサ機器ＩＤは、センサ機器４を一意に特定する識別子であり、センサ機器製造事業者が定義する値である。
機器フォーマットＩＤ欄１０２の機器フォーマットＩＤは、センサ機器の機種を特定する識別子である。機器フォーマットＩＤは、サービス管理装置２が付与する。
更に、図４の説明において後記するが、機器フォーマットＩＤは、機器情報データベース４１において、同一の機種に係るレコードの組を特定する識別子にもなっている。センサ機器製造事業者は、機器フォーマットＩＤをセンサ機器４に対して組み込んで（又は説明書等に記載して）、センサ機器４を出荷する。
無線ＩＤ欄１０３の無線ＩＤは、無線通信において、無線通信機器としてのセンサ機器４を一意に特定する識別子である。
【００２０】
（センサゲートウエイ機器固有情報データベース）
図３（ｂ）は、本実施形態に係るセンサゲートウエイ機器固有情報データベースの一例を示す図である。
センサゲートウエイ機器固有情報データベース７８においては、ゲートウエイ機器ＩＤ、無線ＩＤ、ネットワークＩＤ、ＩＰアドレス、サブネットマスク、デフォルトゲートウエイ及びセンタＩＰアドレスが記憶されている。
ゲートウエイ機器ＩＤ欄１１１のゲートウエイ機器ＩＤは、センサゲートウエイ機器６を一意に特定する識別子であり、センサゲートウエイ機器の製造者が定義する値である。
無線ＩＤ欄１１２の無線ＩＤは、無線通信において、無線通信機器としてのセンサゲートウエイ機器６を一意に特定する識別子である。
ネットワークＩＤ欄１１３のネットワークＩＤは、ネットワーク通信において、センサゲートウエイ機器６を一意に特定する識別子である。
ＩＰアドレス欄１１４のＩＰアドレスは、ネットワーク通信において、センサゲートウエイ機器６に対して付与されるＩＰアドレスである。
サブネットマスク欄１１５のサブネットマスクは、ＩＰネットワーク通信に必要なサブネットマスクである。
デフォルトゲートウエイ欄１１６のデフォルトゲートウエイは、ＩＰネットワーク通信に必要なデフォルトゲートウエイである。
センタＩＰアドレス欄１１７のセンタＩＰアドレスは、サービス管理装置２に対して付与されるＩＰアドレスである。
なお、ネットワーク８に接続されているサービス管理装置２、サービス事業者装置３、ユーザ端末装置５及びセンサ機器製造事業者装置７もまた、同様の情報（欄１１３〜欄１１７）を保有しており、相互間でネットワーク８を介した通信が可能である。
【００２１】
（機器情報データベース）
図４は、本実施形態に係る機器情報データベースの一例を示す図である。
機器情報データベース４１においては、機器フォーマットＩＤ欄１２１には機器フォーマットＩＤが、製造者名称欄１２２には製造者名称が、機器名称欄１２３には機器名称が、データ種類欄１２４にはデータ種類が、データ種類ＩＤ欄１２５にはデータ種類ＩＤが、フォーマット欄１２６にはフォーマットが、フォーマット型式欄１２７にはフォーマット型式が、データ変数欄１２８にはデータ変数が、バイト数欄１２９にはバイト数が、それぞれ記憶されている。
【００２２】
機器フォーマットＩＤ欄１２１の機器フォーマットＩＤは、図３（ａ）の機器フォーマットＩＤと同じである。前記したように、機器フォーマットＩＤは、センサ機器４の機種を特定するだけでなく、機器情報データベース４１のレコードの組をも特定する。例えば「ＦＦＦＦＡ００２」は、符号１３１に含まれる４つのレコードをそれらの間の順番とともに特定する。
製造者名称欄１２２の製造者名称は、センサ機器４の製造者の名称である。
機器名称欄１２３の機器名称は、センサ機器の名称である。ここでは、そのセンサ機器の機能を示す一般名詞（「体重計」等）が記憶されている。
データ種類欄１２４のデータ種類は、センサ機器４によって取得された情報（センサデータ）が、何を示すものかを記述した情報である。例えば「体重」、「脈拍」等である。
なお、「ヘッダ」は、その情報が、「体重」等の検知された情報そのものではなく、検知された情報の直前に付されたガイド的な情報であることを示す。ある機器フォーマットＩＤが特定するレコードの組のなかに、「ヘッダ」が存在しない場合（符号１３０、１３３、１３４）もあり、複数存在する場合もある（符号１３２）。
データ種類ＩＤ欄１２５のデータ種類ＩＤは、フォーマットとフォーマット型式の組み合わせを一意に特定する識別子である。
フォーマット欄１２６のフォーマットは、データが出力される際の桁数、単位を示したものである。データが種類が「ヘッダ」である場合は、出力される文字等そのものを示している。
フォーマット型式欄１２７のフォーマット型式は、データの型式である。ここでは、ＡＳＣＩＩ(American Standard Code for Information Interchange)又は、２値（Binary）の２者のうちの何れかとしたが、それらに限定されない。
データ変数欄１２８のデータ変数は、データ種類を一意に特定する識別子である。この識別子は、一般に公開されており、例えば「Ｗｔ」は「体重」を示すという認識が、サービス事業者装置３とセンサ機器製造事業者装置７との間で共有される。
サービス変数は識別子ではあるが、サービス事業者装置３が受け入れ可能な変数を「引数」として指定する記号でもあることから、「変数」という語を用いている（図５の欄１４５参照）。
バイト数欄１２９のバイト数は、データの量をバイト（Byte）数で示したものである。
なお、「第１の識別子」には、機器フォーマットＩＤが相当し、「センサ機器が取得できるデータの種類」には、欄１２８のデータ変数が相当する。
【００２３】
図４を参照すると、例えば以下の事柄がわかる。
（１）データは、大きく分けて５つのレコードの組（符号１３０〜１３４）からなる。そして、１つのレコードの組に対して、１つの機器フォーマットＩＤが対応している。
（２）レコードの組１３１は、４つのレコードからなり、これらは、「Ａ社」が製造した「血圧計」というセンサ機器４についての情報である。
「血圧計」からサービス管理装置２に送信されるセンサデータ（図７（ｂ）において後記）は、「８０，○○，○○，○○」であり、これは「ヘッダ，最高最低血圧差，最低血圧，脈拍」を示している。
（３）レコードの組１３２は、４つのレコードからなり、これらは、「Ｂ社」が製造した「体組成計」というセンサ機器４についての情報である。
「体組成計」からサービス管理装置２に送信されるセンサデータは、「0x10 0x11，○○○○kg，0x10 0x12，○○.○％」であり、これは「ヘッダ，体重，ヘッダ，体脂肪」を示している。
（４）レコードの組１３０は、１つのレコードからなり、これは「Ａ社」が製造した「体重計」というセンサ機器４についての情報である。
「体重計」からサービス管理装置２に送信されるセンサデータは、「○○.○kg」であり、これは「体重」を示している。
（５）データ変数「Ｗｔ」は、レコードの組１３０及び、レコードの組１３２の２行目に記憶されている。両者は、同じ「体重」を示す情報であるので、フォーマットが異なっていても（「○○.○kg」と「○○○○kg」）、データ変数としては区別されていない。
【００２４】
（サービス情報データベース）
図５は、本実施形態に係るサービス情報データベースの一例を示す図である。
サービス情報データベース４２においては、サービスＩＤ欄１４１に記憶されたサービスＩＤに関連付けて、サービス事業者名称欄１４２にはサービス事業者名称が、サービス名称欄１４３にはサービス名称が、サービス内容欄１４４にはサービス内容が、データ変数欄１４５にはデータ変数が、それぞれ記憶されている。
【００２５】
サービスＩＤ欄１４１のサービスＩＤは、サービスを特定する識別子である。
本実施形態においては、あるサービスとそのサービスを提供するサービス事業者装置３とが、１対１に対応しているものとする。すなわち、サービスＩＤは、サービス事業者装置３を特定する識別子でもある。
サービス事業者名称欄１４２のサービス事業者名称は、サービス事業者の名称である。
サービス名称欄１４３のサービス名称は、サービスの名称である。
サービス内容欄１４４のサービス内容は、サービスがどのようなものであるかを、ユーザに対して説明する情報である。
データ変数欄１４５のデータ変数は、サービスの提供に際して、サービス事業者装置３が受け入れる「引数」としてのデータ種類を特定する識別子であり、図４のデータ変数と同じである。
なお、「第２の識別子」には、サービスＩＤが相当し、「サービスに利用されるデータの種類」には欄１４５のデータ変数が相当する。
【００２６】
図５を参照すると、例えば以下の事柄がわかる。
（１）登録されているサービスは、４つ存在する。１つのレコードが１つのサービスに対応しており、サービス毎に（すなわちレコード毎に）１つのサービスＩＤが付されている。
（２）行１４６のレコードを参照すると、サービス事業者「ａ社」は、「ダイエット支援」という名称のサービスを提供している。このサービスは「Ｗｔ」というデータ変数が特定するデータ種類のセンサデータを受け入れて、「体重をグラフ化して減量の推移」をユーザに返すようなサービスである。
そして、図５からは直接わからないが、図４を参照すると、「Ｗｔ」は「体重」を示すデータであり、「Ａ社」が製造する「体重計」及び「Ｂ社」が製造する「体組成計」によって取得可能であることがわかる。
（３）行１４７のレコードを参照すると、サービス事業者「ｃ社」は、「電力監視」という名称のサービスを提供している。このサービスは「ＰＷｔ」及び「ＰＷｓ」というデータ変数が特定するデータ種類のセンサデータを受け入れて、「次回支払い予定の電気料金」の「推定」額をユーザに返すようなサービスである。
そして、図５からは直接わからないが、図４を参照すると、「ＰＷｔ」及び「ＰＷｓ」は、それぞれ「電力値」及び「総電力量」を示すデータであり、「Ｃ社」が製造する「電力計」によって当該「ＰＷｔ」及び「ＰＷｓ」を取得可能であることがわかる。
【００２７】
（ユーザ情報データベース）
図６（ａ）は、本実施形態に係るユーザ情報データベースの一例を示す図である。
ユーザ情報データベース４３においては、ユーザＩＤ欄１５１に記憶されたユーザＩＤに関連付けて、パスワード欄１５２にはパスワードが、メールアドレス欄１５３にはメールアドレスが、登録センサ機器情報欄１５４には登録センサ機器情報が、登録サービス情報欄１５５には登録サービス情報が、それぞれ記憶されている。
【００２８】
ユーザＩＤ欄１５１のユーザＩＤは、ユーザを一意に特定する識別子である。
ユーザＩＤは、ユーザ９が決定したもの（ニックネームなど）をそのまま使用してもよいし、サービス管理装置２が生成したうえでユーザ９に対して割り当ててもよい。
更に、詳細は後記するが、あるユーザ９と、そのユーザ９に対してサービス管理装置２が割り当てるユーザガイドページ８１（図８）とは、１対１に対応している。すなわち、ユーザＩＤは、ユーザガイドページ８１を特定する識別子でもある。
パスワード欄１５２のパスワードは、サービス管理装置２がユーザ９を認証するためのパスワードである。
メールアドレス欄１５３のメールアドレスは、ユーザ９のメールアドレスである。
登録センサ機器情報欄１５４の登録センサ機器情報は、ユーザ９がサービス管理装置２に対して登録したセンサ機器４と、そのセンサ機器４に対応する機器フォーマットＩＤの組合せである。ユーザ９が複数のセンサ機器４について登録を行うと、この欄１５４には、登録したセンサ機器４の数と同じ数の組合せが記憶される。
センサ機器ＩＤが決まれば１つ機器フォーマットＩＤが決まる。
登録サービス情報欄１５５の登録サービス情報は、ユーザ９がそのサービスを受けるものとしてサービス管理装置２に対して登録したサービスを特定するサービスＩＤと、そのサービスを受けるに際し必要となるデータを取得するセンサ機器４を特定するセンサ機器ＩＤの組合せである。
サービスＩＤとセンサ機器ＩＤとは、１対１に対応するとは限らない。図６（ａ）の２行目のレコードにおいては、１つのセンサ機器ＩＤ「Ｂ００１０１」が、２つのサービスＩＤ「ＥＥＥＥａ００１」及び「ＥＥＥＥｂ００１」に対応している。
ユーザ情報データベース４３には、前記のパスワード、メールアドレスに限られず、電話番号やクレジットカード番号などのその他の個人情報（これらを纏めて「ユーザ情報」という）を記憶する欄を設けてもよい。
ユーザ情報データベース４３のレコードは、ユーザ９の数だけ存在する。
なお、「第３の識別子」には、ユーザＩＤが相当し、「第４の識別子」には、センサ機器ＩＤが相当する。
【００２９】
登録センサ機器情報と登録サービス情報との関係について補足説明する。登録サービス情報に含まれるセンサ機器ＩＤは、同じレコードの登録センサ機器情報のなかに必ず含まれている。
一方、登録センサ機器情報に含まれるセンサ機器ＩＤは、同じレコードの登録サービス情報のなかに必ずしも含まれているとは限らない。更に、登録センサ機器情報に含まれるある１つのセンサ機器ＩＤが、同じレコードの登録サービス情報のなかの複数の組に共通して含まれることもあり得る。なぜならば、ユーザ９があるセンサ機器４の登録をしたとしても、そのセンサ機器４が取得するセンサデータを使用するサービスは存在しないかもしれないし、存在しても、ユーザのニーズに合致せず、サービスの登録はされないかも知れないからである。更には、１つのセンサ機器４が取得するセンサデータを使用して複数の別個のサービスを受けることをユーザが登録することもあり得るからである。
【００３０】
図６（ａ）の２行目のレコードに注目すると、サービスＩＤが「ＥＥＥＥａ００１」及び「ＥＥＥＥｂ００１」である２種類のサービスを受けるために、ユーザＩＤが「ｕｓｅｒ２」であるユーザ９は、センサ機器ＩＤが「Ｂ００１０１」であるセンサ機器４を使用していることがわかる。また、このユーザ９は、サービスＩＤが「ＥＥＥＥｃ００１」であるサービスを受けるために、センサ機器ＩＤが「Ｃ００１０１」であるセンサ機器４を使用していることもわかる。仮に、登録サービス情報欄１５５に「Ｃ００１０１」を含む組が存在しない場合は、このユーザは、センサ機器ＩＤが「Ｃ００１０１」であるセンサ機器４の登録は行っているが、未だ、そのセンサ機器４が取得するセンサデータを使用したサービスの登録を行ってないことになる。
【００３１】
さらに補足すると、ユーザ情報データベース４３のレコードは、以下の３段階で情報が順次追加的に記憶される。
すなわち、第一に、ユーザＩＤ欄１５１〜メールアドレス欄１５３に値が記憶される（後記するユーザ情報登録処理手順）。
第二に、登録センサ機器情報欄１５４に値が記憶される（後記するユーザセンサ機器登録処理手順）。
第三に、登録サービス情報欄１５５に値が記憶される（後記するユーザサービス登録処理手順）。
【００３２】
（センサデータ格納データベース）
図６（ｂ）は、本実施形態に係るセンサデータ格納データベースの一例を示す図である。
センサデータ格納データベース４４においては、センサ機器ＩＤ欄１６１に記憶されたセンサ機器ＩＤに関連付けて、時刻欄１６２には時刻が、機器フォーマットＩＤ欄１６３には機器フォーマッＩＤが、センサデータ欄１６４にはセンサデータが、それぞれ記憶されている。
センサ機器ＩＤ欄１６１のセンサ機器ＩＤは、図３（ａ）のセンサ機器ＩＤと同じである。
時刻欄１６２の時刻は、サービス管理装置２がセンサデータを受け付けた後、パケットフォーマット（詳細後記）が正しいものである、と判断した時刻である。
機器フォーマットＩＤ欄１６３の機器フォーマットＩＤは、図３（ａ）の機器フォーマットＩＤと同じである。
センサデータ欄１６４のセンサデータは、センサ機器４によって取得されサービス管理装置２に対して送信された実データである。
センサデータ格納データベース４４のレコードは、サービス管理装置２がセンサデータを受け付けた回数と同じ数だけ存在する。
【００３３】
（サービスユーザ情報データベース）
図７（ａ）は、本実施形態に係るサービスユーザ情報データベースの一例を示す図である。
サービスユーザ情報データベース４５においては、ユーザＩＤ欄１７１に記憶されたユーザＩＤに関連付けて、パスワード欄１７２にはパスワードが、メールアドレス欄１７３にはメールアドレスが、センサ機器ＩＤ欄１７４にはセンサ機器ＩＤが、それぞれ記憶されている。
【００３４】
ユーザＩＤ欄１７１のユーザＩＤは、図６（ａ）のユーザＩＤと同じである。しかしながら、サービス事業者装置３に、受け入れ可能な桁数制限等の事情があれば、サービス事業者装置３ごとの識別子を生成してもかまわない。
パスワード欄１７２のパスワードは、サービス事業者装置３がユーザ９を認証するためのパスワードであり、図６（ａ）のパスワードと同じでもよい。
メールアドレス欄１７３のメールアドレスは、図６（ａ）のメールアドレスと同じである。
センサ機器ＩＤ欄１７４のセンサ機器ＩＤは、ユーザ９が、サービス管理装置２に対し登録したサービスを受けるために必要なデータを取得するセンサ機器４を特定するセンサ機器ＩＤであり、図３（ａ）のセンサ機器ＩＤと同じである。
ここでの「センサ機器」とは、センサ機器４としての登録をしただけでは足らず、サービス登録もした場合の、そのサービスに必要なセンサ機器である（図６（ａ）の登録サービス情報の組に含まれるセンサ機器ＩＤに対応する）。
サービスユーザ情報データベース４５は、各サービス事業者装置３がそれぞれ１つずつ記憶する。１つのサービスユーザ情報データベース４５のレコードの数は、そのサービスを利用しているユーザの数（ユーザＩＤの数）だけ存在する。
【００３５】
（センサデータパケット）
図７（ｂ）は、本実施形態に係るセンサデータパケットの一例を示す図である。
センサ機器４は、センサゲートウエイ機器６及びネットワーク８を経由してサービス管理装置２に対して、センサ部６５により取得した情報（センサデータ）を送信する。その際、センサデータは、センサデータパケット８０に含まれて送信される。
１つのセンサデータパケット８０は、機器情報データベース４１のレコードの１つの組（符号１３０、１３１、・・・）に対応する。
センサデータパケット８０は、時系列に配置された、パケット名１８１、センサ機器ＩＤ１８２、機器フォーマットＩＤ１８３及びセンサデータ１８４を含む。
パケット名１８１は、センサデータパケット８０の開始点を示す情報である。
センサ機器ＩＤ１８２は、図３（ａ）のセンサ機器ＩＤを示す信号である。
機器フォーマットＩＤ１８３は、図３（ａ）の機器フォーマットＩＤを示す信号である。
センサデータ１８４は、図６（ｂ）のセンサデータを示す信号である。
【００３６】
（ユーザガイドページ）
図８は、本実施形態に係るユーザガイドページの一例を示す図である。
ユーザガイドページ８１は、ユーザ９毎にサービス管理装置２によって作成され、ユーザ端末装置５の出力装置５５に表示されるページである。
ユーザガイドページ８１は、ユーザ９の数だけ存在し、個々のユーザガイドページ８１は、ユーザＩＤに関連付けられたうえで、補助記憶装置１３に記憶されているものとする（図１参照）。
登録センサ機器一覧１９１には、ユーザ９が登録したセンサ機器４の製造者名称、機器名称、及びセンサ機器ＩＤが組になって表示されている（符号１９２、１９３）。
ここでのセンサ機器ＩＤは図６（ａ）の登録センサ機器情報に含まれるセンサ機器ＩＤである。
【００３７】
利用可能サービス一覧１９５には、ユーザ９が利用可能であるサービスのサービス事業者名称、サービス名称、そのサービスを受けるために必要なセンサ機器４のうち、既にユーザ９が登録しているセンサ機器４（図６（ａ）の登録センサ機器情報に含まれるセンサ機器ＩＤが特定するセンサ機器４）の製造者名称、機器名称、センサ機器ＩＤ、及びそのサービスのサービス内容が組になって表示されている（符号１９６〜１９８）。
利用可能サービス一覧１９５に表示されるサービス名称等は、登録済のサービス（図６（ａ）の登録サービス情報に含まれるサービスＩＤが特定するサービス）に係るものではない。サービス管理装置２が、ユーザ９から受け付けた機器フォーマットＩＤを基に、機器情報データベース４１のデータ変数と、サービス情報データベース４２のデータ変数を突き合わせることによって、ユーザ９が登録したセンサ機器４が取得したセンサデータを使用しユーザ９に対して提供され得るサービスを判別し、表示している（詳細後記）。
なお、利用可能なサービスのうち、ユーザ９が既に登録しているサービス（図６（ａ）の登録サービス情報に含まれるサービスＩＤが特定するサービス）については、例えば欄１９６の符号２０３のように強調表示する（下線を付ける、色を変えて表示する等）こととしてもよい。
センサ機器登録ボタン１９９は、ユーザ９が、センサ機器４をサービス管理装置２に対して登録する際に押下するボタンである（詳細後記）。
センサ機器削除ボタン２００は、ユーザ９が、サービス管理装置２に対して登録されているセンサ機器登録を削除する際に押下するボタンである（詳細後記）。
サービス登録ボタン２０１は、ユーザ９が、利用可能なサービスの中から希望するサービスを選択し、サービス管理装置２に対して登録する際に押下するボタンである（詳細後記）。
サービス削除ボタン２０２は、ユーザ９が、サービス管理装置２に対して登録されているサービス登録を削除する際に押下するボタンである（詳細後記）。
【００３８】
（処理手順概略）
以降に、本実施形態に係る処理手順を説明する。処理手順には以下のものがある。
（１）機器情報登録処理手順
サービス管理装置２は、センサ機器製造事業者装置７から受信したセンサ機器情報を登録する。
（２）サービス情報登録処理手順
サービス管理装置２は、サービス事業者装置３から受信したサービス情報を登録する。
（３）ユーザ情報登録処理手順
サービス管理装置２は、ユーザ端末装置５から受信したユーザ情報を登録する。
（４）ユーザセンサ機器登録処理手順
サービス管理装置２は、ユーザ端末装置５から、センサ機器の登録を受信する。
（５）ユーザサービス登録処理手順
サービス管理装置２は、ユーザ端末装置５から、サービスの登録を受信する。
（６）センサデータ受信処理手順
サービス管理装置２は、センサ機器４から受信したセンサデータを格納する。
（７）データリクエスト応答処理手順
サービス事業者装置３は、サービス管理装置２からセンサデータを受信し、受信したセンサデータを使用してサービスを行い、サービスの成果をユーザ端末装置５に対して送信する。
【００３９】
（１）〜（３）が（４）及び（５）の前提となる処理であり、（４）及び（５）が（６）及び（７）の前提となる処理である。（１）〜（３）の間の順序は問わない。
また、一旦登録された情報を削除する処理手順として、前記（１）〜（５）に対応して、（８）機器情報削除処理手順、（９）サービス情報削除処理手順、（１０）ユーザ情報削除処理手順、（１１）ユーザセンサ機器削除処理手順、及び（１２）ユーザサービス削除処理手順がある。
【００４０】
（機器情報登録処理手順）
図９（ａ）は、本実施形態に係る機器情報登録処理手順のフローチャートである。
図９（ｂ）は、本実施形態に係る機器情報登録処理手順のシーケンス図である。
装置間での情報の遣り取りを明確にするために、以下の各処理手順の説明においては、フローチャートとシーケンス図を併用する。なお、両者は、同一の処理手順を異なる型式で表現したものである。したがって、各処理手順の表現型式がそれぞれ２つ存在しても、各処理手順そのものはそれぞれ１つである。
【００４１】
ステップＳ３０１において、サービス管理装置２の機器情報登録削除部３１は、センサ機器情報を受信する。
具体的には、機器情報登録削除部３１は、センサ機器製造事業者装置７から、製造者名称、機器名称、データ種類、データ種類ＩＤ、フォーマット、フォーマット型式、データ変数及びバイト数（これらを纏めて「センサ機器情報」という）を受信する（１００１）。
【００４２】
ステップＳ３０２において、機器情報登録削除部３１は、センサ機器情報に不足がないか否かを判断する。
具体的には、機器情報登録削除部３１は、センサ機器情報のうち前記した少なくとも１つの情報が不足している場合（ステップＳ３０２“ＮＯ”）は、ステップＳ３０３に進む。それ以外の場合（ステップＳ３０２“ＹＥＳ”）は、ステップＳ３０４に進む。
【００４３】
ステップＳ３０３において、機器情報登録削除部３１は、エラーメッセージを送信する。
具体的には、機器情報登録削除部３１は、センサ機器製造事業者装置７に対して、エラーメッセージを送信した後、機器情報登録処理手順を終了する。
【００４４】
ステップＳ３０４において、機器情報登録削除部３１は、機器フォーマットＩＤを生成する（１００２）。
【００４５】
ステップＳ３０５において、機器情報登録削除部３１は、機器フォーマットＩＤを送信する。
具体的には、機器情報登録削除部３１は、センサ機器製造事業者装置７に対して、ステップＳ３０４において生成した機器フォーマットＩＤを送信する（１００３）。
【００４６】
ステップＳ３０６において、機器情報登録削除部３１は、センサ機器情報を登録する。
具体的には、第一に、機器情報登録削除部３１は、機器情報データベース４１の新たなレコードを作成する。
第二に、ステップＳ３０４において生成した機器フォーマットＩＤを機器フォーマットＩＤ欄１２１に記憶し、ステップＳ３０１において受信したセンサ機器情報を、製造者名称欄１２２〜バイト数欄１２９に記憶する（１００４）。
ここで、機器情報登録処理手順は終了する。
【００４７】
（サービス情報登録処理手順）
図１０（ａ）は、本実施形態に係るサービス情報登録処理手順のフローチャートである。
図１０（ｂ）は、本実施形態に係るサービス情報登録処理手順のシーケンス図である。
【００４８】
ステップＳ３１１において、サービス管理装置２のサービス情報登録削除部３２は、サービス情報を受信する。
具体的には、サービス情報登録削除部３２は、サービス事業者装置３から、サービス事業者名称、サービス名称、サービス内容、及びデータ変数（これらを纏めて「サービス情報」という）を受信する（１０１１）。
【００４９】
ステップＳ３１２において、サービス情報登録削除部３２は、サービス情報に不足がないか否かを判断する。
具体的には、サービス情報登録削除部３２は、サービス情報のうち前記した少なくとも１つの情報が不足している場合（ステップＳ３１２“ＮＯ”）は、ステップＳ３１３に進む。それ以外の場合（ステップＳ３１２“ＹＥＳ”）は、ステップＳ３１４に進む。
【００５０】
ステップＳ３１３において、サービス情報登録削除部３２は、エラーメッセージを送信する。
具体的には、サービス情報登録削除部３２は、サービス事業者装置３に対して、エラーメッセージを送信した後、サービス情報登録処理手順を終了する。
【００５１】
ステップＳ３１４において、サービス情報登録削除部３２は、サービスＩＤを生成する（１０１２）。
【００５２】
ステップＳ３１５において、サービス情報登録削除部３２は、サービスＩＤを送信する
具体的には、サービス情報登録削除部３２は、サービス事業者装置３に対して、ステップＳ３１４において生成したサービスＩＤを送信する（１０１３）。
【００５３】
ステップＳ３１６において、サービス情報登録削除部３２は、サービス情報を登録する。
具体的には、第一に、サービス情報登録削除部３２は、サービス情報データベース４２の新たなレコードを作成する。
第二に、ステップＳ３１４において生成したサービスＩＤをサービスＩＤ欄１４１に記憶し、ステップＳ３１１において受信したサービス情報を、サービス事業者名称欄１４２〜データ変数欄１４５に記憶する（１０１４）。
ここで、サービス情報登録処理手順は終了する。
【００５４】
（ユーザ情報登録処理手順）
図１１（ａ）は、本実施形態に係るユーザ情報登録処理手順のフローチャートである。
図１１（ｂ）は、本実施形態に係るユーザ情報登録処理手順のシーケンス図である。
【００５５】
ステップＳ３２１において、サービス管理装置２のユーザ情報登録削除部３３は、ユーザ情報を受信する。
具体的には、ユーザ情報登録削除部３３は、ユーザ端末装置５から、パスワード、メールアドレス、その他の個人情報（「ユーザ情報」）を受信する（１０２１）。
【００５６】
ステップＳ３２２において、ユーザ情報登録削除部３３は、ユーザ情報に不足がないか否かを判断する。
具体的には、ユーザ情報登録削除部３３は、ユーザ情報のうち前記した少なくとも１つの情報が不足している場合（ステップＳ３２２“ＮＯ”）は、ステップＳ３２３に進む。それ以外の場合（ステップＳ３２２“ＹＥＳ”）は、ステップＳ３２４に進む。
【００５７】
ステップＳ３２３において、ユーザ情報登録削除部３３は、エラーメッセージを送信する。
具体的には、ユーザ情報登録削除部３３は、ユーザ端末装置５に対して、エラーメッセージを送信した後、ユーザ情報登録処理手順を終了する。
【００５８】
ステップＳ３２４において、ユーザ情報登録削除部３３は、ユーザＩＤを生成する（１０２２）。
【００５９】
ステップＳ３２５において、ユーザ情報登録削除部３３は、ユーザガイドページを作成する（１０２３）。
具体的には、ユーザ情報登録削除部３３は、登録センサ機器一覧１９１及び利用可能サービス一覧１９５が空白であるユーザガイドページ８１を新たに作成し、ステップＳ３２４において生成したユーザＩＤに関連付けて、補助記憶装置１３に記憶する。
【００６０】
ステップＳ３２６において、ユーザ情報登録削除部３３は、登録メッセージ等を送信する。
具体的には、ユーザ情報登録削除部３３は、ユーザ端末装置５に対して、ステップＳ３２４において生成したユーザＩＤ、ステップＳ３２５において生成したユーザガイドページ８１のＵＲＬ、及びユーザ登録が終了した旨のメッセージを送信する（１０２４）。
【００６１】
ステップＳ３２７において、ユーザ情報登録削除部３３は、ユーザ情報を登録する。
具体的には、第一に、ユーザ情報登録削除部３３は、ユーザ情報データベース４３の新たなレコードを作成する。
第二に、ステップＳ３２４において生成したユーザＩＤをユーザＩＤ欄１５１に記憶し、ステップＳ３２１において受信したユーザ情報を、パスワード欄１５２、メールアドレス欄１５３及びその他の個人情報を記憶すべきその他欄（図示せず）に記憶する（１０２５）。
ここで、ユーザ情報登録処理手順は終了する。
なお、ここでは、ユーザ情報登録削除部３３がユーザＩＤを生成することとした。しかしながら、前記したように、ユーザ９が決定したユーザＩＤを、サービス管理装置２がそのまま使用することとしてもよい。
【００６２】
（ユーザセンサ機器登録処理手順）
図１２は、本実施形態に係るユーザセンサ機器登録処理手順のフローチャートである。
図１３は、本実施形態に係るユーザセンサ機器登録処理手順のシーケンス図である。
【００６３】
ステップＳ３３１において、サービス管理装置２のユーザセンサ機器登録削除部３５は、センサ機器ＩＤ等を受信する。
具体的には、ユーザセンサ機器登録削除部３５は、第一に、ユーザ端末装置５から、ユーザＩＤを受信する（１０３１）と、そのユーザＩＤに関連付けられたユーザガイドページ８１をユーザ端末装置５に送信して出力装置５５に表示する。
第二に、センサ機器登録ボタン１９９の押下を受信する。
第三に、ユーザ端末装置５から、センサ機器ＩＤ及び機器フォーマットＩＤを受信する（１０３１）。
【００６４】
ステップＳ３３２において、ユーザセンサ機器登録削除部３５は、機器フォーマットＩＤが機器情報データベース４１に存在するか否かを判断する。
具体的には、ユーザセンサ機器登録削除部３５は、ステップＳ３３１において受信した機器フォーマットＩＤが、機器情報データベース４１の機器フォーマット欄１２１に存在しなし場合（ステップＳ３３２“ＮＯ”）は、ステップＳ３３３に進む。それ以外の場合（ステップＳ３３２“ＹＥＳ”）は、ステップＳ３３４に進む。
【００６５】
ステップＳ３３３において、ユーザセンサ機器登録削除部３５は、エラーメッセージを送信する。
具体的には、ユーザセンサ機器登録削除部３５は、ユーザ端末装置５に対して、エラーメッセージを送信した後、ユーザセンサ機器登録処理手順を終了する。
【００６６】
ステップＳ３３４において、ユーザセンサ機器登録削除部３５は、センサ機器情報を送信する。
具体的には、ユーザセンサ機器登録削除部３５は、第一に、ステップＳ３３１において受信した機器フォーマットＩＤを検索キーとして機器情報データベース４１を検索し、該当したすべてのレコードのセンサ機器情報を取得する（１０３２）。
第二に、取得したセンサ機器情報を、ユーザ端末装置５に送信する（１０３３）。
【００６７】
ステップＳ３３５において、ユーザセンサ機器登録削除部３５は、確認メッセージを受信する。
具体的には、第一に、ユーザ端末装置５は、受信したセンサ機器情報が正しいことを確認する（１０３４）。例えば、製造者名称、機器名称等がユーザ９の認識に一致することを確認する。
第二に、ユーザセンサ機器登録削除部３５は、ユーザ端末装置５から、前記確認が終了した旨のメッセージを受信する（１０３５）。
【００６８】
ステップＳ３３６において、ユーザセンサ機器登録削除部３５は、センサ機器登録を行う。
具体的には、第一に、ユーザセンサ機器登録削除部３５は、ステップＳ３３１において受信したユーザＩＤを検索キーとして。ユーザ情報データベース４３を検索し、該当したレコードを取得する。
第二に、「第一」において取得したレコードの登録センサ機器情報欄１５４に、ステップＳ３３１において受信したセンサ機器ＩＤと機器フォーマットＩＤを組にして記憶する（１０３６）。
【００６９】
ステップＳ３３７において、ユーザセンサ機器登録削除部３５は、利用できるデータ変数を取得する。
具体的には、ユーザセンサ機器登録削除部３５は、ステップＳ３３４において検索の結果該当した機器情報データベース４１のすべてのレコードの、データ変数を取得する（１０３７）。
【００７０】
ステップＳ３３８において、ユーザセンサ機器登録削除部３５は、利用できるサービスを取得する。
具体的には、ユーザセンサ機器登録削除部３５は、第一に、サービス情報データベース４２の任意のレコードのデータ変数を取得する。
第二に、「第一」において取得したデータ変数のすべてが、ステップＳ３３７において取得したデータ変数のなかに含まれている場合は、「第一」において取得したデータ変数を含むレコードの、サービス情報を取得する（１０３８）。
「第一」において取得したデータ変数のすべてが、ステップＳ３３７において取得したデータ変数のなかに含まれていない場合は何もしない。
ステップＳ３３８の処理は、サービス情報データベース４２のすべてのレコードについて繰り返す。
【００７１】
ステップＳ３３９において、ユーザセンサ機器登録削除部３５は、登録メッセージを送信する。
具体的には、ユーザセンサ機器登録削除部３５は、ユーザ端末装置５に対して、センサ機器登録が終了した旨のメッセージを送信する（１０３９）。
【００７２】
ステップＳ３４０において、ユーザセンサ機器登録削除部３５は、ユーザガイドページを更新する。
具体的には、ユーザセンサ機器登録削除部３５は、第一に、ステップＳ３３１において受信したユーザＩＤに関連付けられたユーザガイドページ８１を、補助記憶装置１３から取得する。
第二に、ユーザガイドページ８１の登録センサ機器一覧１９１に対し、ステップＳ３３４において取得したセンサ機器情報のうちの製造者名称及び機器名称を、ステップＳ３３１において受信したセンサ機器ＩＤとともに記憶する（１０４０）。
第三に、ユーザガイドページ８１の利用可能サービス一覧１９５に対し、ステップＳ３３８において取得したサービス情報のうち、サービス事業者名称、サービス名称及びサービス内容と、ステップＳ３３４において取得したセンサ機器情報のうちの製造者名称及び機器名称を、ステップＳ３３１において受信したセンサ機器ＩＤとともに記憶する（１０４０）。
【００７３】
ステップＳ３４１において、ユーザセンサ機器登録削除部３５は、ユーザガイドページ８１を表示する。
具体的には、ユーザセンサ機器登録削除部３５は、更新後のユーザガイドページ８１をユーザ端末装置５に送信し、出力装置５５に表示する。
例えば、ユーザ９が「Ｂ００１０１」のセンサ機器４について登録した場合は、欄１９２、欄１９６及び欄１９７を視認することができる。すなわち、ユーザは、「体組成計」が取得するセンサデータに基づいて、「ダイエット支援」及び「健康指導」というサービスを利用可能であることがわかる。
ちなみに、ユーザ９が更にセンサ機器登録機器ボタン１９９を押下すると、ユーザセンサ機器登録処理手順が再度実行される。このとき、ユーザ９が「Ｃ００１０１」のセンサ機器について登録した場合は、ユーザ９は、更に欄１９３及び欄１９８を視認することができる。
ここで、ユーザセンサ機器登録処理手順は終了する。
【００７４】
（ユーザサービス登録処理手順）
図１４は、本実施形態に係るユーザサービス登録処理手順のフローチャートである。
図１５は、本実施形態に係るユーザサービス登録処理手順のシーケンス図である。
【００７５】
ステップＳ３５１において、サービス管理装置２のユーザサービス登録削除部３６は、センサ機器ＩＤ等を受信する。
具体的には、ユーザサービス登録削除部３６は、第一に、ユーザ端末装置５からユーザＩＤを取得（１０５１）すると、そのユーザＩＤに関連付けられたユーザガイドページ８１をユーザ端末装置５に送信して出力装置５５に表示する。
第二に、サービス登録ボタン２０１の押下を受信する。
第三に、ユーザ端末装置５から、サービスＩＤ及びセンサ機器ＩＤを受信する（１０５１）。ここでは、ユーザ９が欄１９６〜１９８をマウス等の入力装置５４で選択すると、その欄のサービスに対応するサービスＩＤ及びセンサ機器ＩＤがユーザ端末装置５からサービス管理装置２に対して送信されるものとする。
【００７６】
ステップＳ３５２において、ユーザサービス登録削除部３６は、ユーザ情報を取得する。
具体的には、ユーザサービス登録削除部３６は、ステップＳ３５１において取得したユーザＩＤを検索キーとして、ユーザ情報データベース４３を検索して、該当したレコードのユーザ情報を取得する（１０５２）。
【００７７】
ステップＳ３５３において、ユーザサービス登録削除部３６は、サービス事業者装置３に対して、ユーザ登録要求を送信する（１０５３）。
ここで、ステップＳ３５１において取得したサービスＩＤによって送信先であるサービス事業者装置３が特定されるものとする。
【００７８】
ステップＳ３５４において、ユーザサービス登録削除部３６は、センサ機器ＩＤ等を送信する。
具体的には、ユーザサービス登録削除部３６は、ステップＳ３５２において取得したユーザ情報と、ステップＳ３５１において取得したユーザＩＤ及びセンサ機器ＩＤをサービス事業者装置３に送信し、サービス事業者装置３はそれらを受信する（１０５４）。
【００７９】
ステップＳ３５５において、サービス事業者装置３は、ユーザ登録ページを作成する。
具体的には、サービス事業者装置３は、ステップＳ３５４において受信したユーザＩＤ、センサ機器ＩＤ及びユーザ情報に基づいて、ユーザ９からサービス登録を受けるためのユーザ登録ページを作成する（１０５５）。ユーザ登録ページは、サービス内容、センサ機器の取扱い方法、サービス料金等を、サービス情報データベース４２に記憶されている以上に詳しく説明するページである（図示せず）。
【００８０】
ステップＳ３５６において、サービス事業者装置３は、サービス管理装置２に対し、登録準備完了メッセージを送信する（１０５６）。
【００８１】
ステップＳ３５７において、サービス管理装置２のユーザサービス登録削除部３６は、画面を切り替える。
具体的には、ユーザサービス登録削除部３６は、ユーザ端末装置５の出力装置５５に表示しているユーザガイドページ８１に替えて、ステップＳ３５５において作成されたユーザ登録ページを表示する（１０５７）。
この段階で、ユーザ端末装置５とサービス事業者装置３の間に通信が確保されたことになる。
【００８２】
ステップＳ３５８において、ユーザ端末装置５は、必要な情報を送信する。
具体的には、ユーザ端末装置５は、必要な情報をサービス事業者装置３に送信し、サービス事業者装置はこれを受信する（１０５８）。「必要な情報」とは、サービスを受けるに際して必要となる、ユーザ情報以外、かつセンサデータ以外の情報であり、具体的な内容は、サービス毎に異なる。例えば「ダイエット支援」というサービスについては、ユーザ９の身長のようなデータが想定される。
【００８３】
ステップＳ３５９において、サービス事業者装置３は、ユーザ情報を登録する。
具体的には、サービス事業者装置３は、第一に、サービスユーザ情報データベース４５の新たなレコードを作成する。
第二に、ステップＳ３５４において受信した、ユーザＩＤ及びセンサ機器ＩＤを、ユーザＩＤ欄１７１、センサ機器ＩＤ欄１７４にそれぞれ記憶する。
第三に、ステップＳ３５４において受信したユーザ情報のうち、パスワード及びメールアドレスを、パスワード欄１７２及びメールアドレス欄１７３にそれぞれ記憶する。ユーザ情報の中に、電話番号やクレジット番号が含まれている場合は、別途欄を作成し記憶する。ステップＳ３５８において受信した、ユーザ情報以外の情報も、別途欄を作成し記憶する（１０５９）。
【００８４】
ステップＳ３６０において、サービス事業者装置３は、登録終了メッセージを送信する。
具体的には、サービス事業者装置３は、ユーザ端末装置５及びサービス管理装置２の両方に対して、ユーザ及びサービスの登録が終了した旨のメッセージを送信する（１０６０、１０６１）。
【００８５】
ステップＳ３６１において、サービス管理装置２のユーザサービス登録削除部３６は、ユーザ情報データベース４３を更新する。
具体的には、ユーザサービス登録削除部３６は、ステップＳ３５１において受信したユーザＩＤを検索キーとして、ユーザ情報データベース４３を検索し、該当したレコードの登録サービス情報欄１５５に、ステップＳ３５１において受信したサービスＩＤとセンサ機器ＩＤの組合せを記憶する（１０６２）。
【００８６】
ステップＳ３６２において、ユーザサービス登録削除部３６は、ユーザガイドページを更新する。
具体的には、ユーザサービス登録削除部３６は、第一に、ステップＳ３５１において受信したユーザＩＤに関連付けられたユーザガイドページ８１を、補助記憶装置１３から取得する。
第二に、ユーザガイドページ８１の利用可能サービス一覧１９５の欄１９６〜１９８のうち、ステップＳ３５１において取得したサービスＩＤが特定するサービスに係る欄の情報を加工し、当該ページが表示されたときにはその欄が強調表示されるようにする（１０６３）。
【００８７】
ステップＳ３６３において、ユーザサービス登録削除部３６は、ユーザガイドページ８１を表示する。ユーザサービス登録削除部３６は、更新後のユーザガイドページ８１をユーザ端末装置５に送信し、出力装置５５に表示する。
このとき、ユーザ９は、自らが選択したサービスに係る欄（図８の符号２０３のように強調表示されている）を視認できる。
ここでユーザサービス登録処理手順は終了する。
【００８８】
前記した機器情報登録処理手順、サービス情報登録処理手順、ユーザ情報登録処理手順、ユーザセンサ機器登録処理手順及びユーザサービス登録処理手順においては、サービス事業者装置３、センサ機器製造事業者装置７及びユーザ端末装置５の入力装置から、各種情報が入力され、それらの情報を、サービス管理装置２がネットワーク８を介して受信することとした。
しかしながら、センサ機器製造事業者、サービス事業者及びユーザ９から紙媒体等で送付されてきた各種情報が、サービス管理装置２の入力装置１５から入力されることとしてもよい。また、ユーザ９がセンサ機器４を購入する際、センサ機器の販売を行う者（量販店等）が、ユーザ９を代理して、ユーザ端末装置５（この場合、量販店の店頭にある端末装置である）を操作してもよい。
【００８９】
（センサデータ受信処理手順）
図１６（ａ）は、本実施形態に係るセンサデータ受信処理手順のフローチャートである。
図１６（ｂ）は、本実施形態に係るセンサデータ受信処理手順のシーケンス図である。
【００９０】
センサデータ受信処理手順の前提として、センサ機器４は、温度等の情報をセンサ部６５によって感知し（１０７１）、これをセンサデータ１８４（図７（ｂ）参照）とする。続いて、センサデータに対して、パケット名１８１、センサ機器ＩＤ１８２及び機器フォーマットＩＤ１８３を付加し、センサデータパケット８０の型式にしたうえで、センサゲートウエイ機器６に送信する（１０７２）。センサゲートウエイ機器は、受信したセンサデータパケット８０を、サービス管理装置２に転送する（１０７３）。
【００９１】
ステップＳ３７１において、サービス管理装置２のセンサデータ受信部３４は、センサデータパケットを受信する。
【００９２】
ステップＳ３７２において、センサデータ受信部３４は、パケットフォーマットが正しいか否かを判断する。
具体的には、センサデータ受信部３４は、ステップ３７１において受信したセンサデータパケット８０が、図７（ｂ）に示すような所定の型式を有する場合（ステップＳ３７２“ＹＥＳ”）は、ステップ３７３に進み、それ以外の場合（ステップＳ３７２“ＮＯ”）は、センサデータ受信処理手順を終了する。
【００９３】
ステップＳ３７３において、センサデータ受信部３４は、受信時刻を取得する。受信時刻とは、現在時刻である。
【００９４】
ステップＳ３７４において、センサデータ受信部３４は、センサデータ等を登録する（１０７４）。
具体的には、センサデータ受信部３４は、第一に、センサデータ格納データベース４４の新たなレコードを作成する。
第二に、ステップＳ３７１において受信したデータパケット８０に含まれているセンサ機器ＩＤ、機器フォーマットＩＤ及びセンサデータを、センサ機器ＩＤ欄１６１、機器フォーマットＩＤ欄１６３及びセンサデータ欄１６４に、それぞれ記憶し、ステップＳ３７３において取得した受信時刻を、時刻欄１６２に記憶する。
ここで、センサデータ受信処理手順は終了する。
【００９５】
（データリクエスト応答処理手順）
図１７（ａ）は、本実施形態に係るデータリクエスト応答処理手順のフローチャートである。
図１７（ｂ）は、本実施形態に係るデータリクエスト応答処理手順のシーケンス図である。
【００９６】
ステップＳ３８１において、サービス管理装置２のデータリクエスト応答部３７は、サービスＩＤ等を受信する。
具体的には、データリクエスト応答部３７は、サービス事業者装置３から、サービスＩＤ、ユーザＩＤ、センサ機器ＩＤ及び条件を受信する（１０８１）。
ここで受信するユーザＩＤ及びセンサ機器ＩＤは、サービスユーザ情報データベース４５のあるレコードのユーザＩＤ及びセンサ機器ＩＤである。また、「条件」とは、サービスの内容によって異なるが、例えば、「時刻○○の後に生成されたデータが◎◎個必要である」のような内容を示す情報である。
【００９７】
ステップＳ３８２において、データリクエスト応答部３７は、サービスを提供可能であるか否かを判断する。
具体的には、データリクエスト応答部３７は、ステップＳ３８１において受信したユーザＩＤをユーザＩＤ欄１５１に有し、かつ、ステップＳ３８１において受信したサービスＩＤとセンサ機器ＩＤの組合せを登録サービス情報欄１５５に有するレコードが、ユーザ情報データベース４３のなかに存在するか否かを確認する（１０８２）。存在する場合（ステップＳ３８２“ＹＥＳ”）は、ステップＳ３８３に進む。それ以外の場合（ステップＳ３８２“ＮＯ”）は、データリクエスト応答処理手順を終了する。
【００９８】
ステップＳ３８３において、データリクエスト応答部３７は、センサデータを取得する。
具体的には、データリクエスト応答部３７は、ステップＳ３８１において受信したセンサ機器ＩＤ及び「条件」を検索キーとして、センサデータ格納データベース４４を検索し、該当したレコードのセンサデータを取得する（１０８３）。
【００９９】
ステップＳ３８４において、データリクエスト応答部３７は、センサデータを送信する。
具体的には、ステップＳ３８３において取得したセンサデータをサービス事業者装置３に対して送信する（１０８４）。サービス事業者装置３は、センサデータを受信した時点で、ユーザ端末装置５に対してサービスを提供する（１０８５）ことが可能になる。
サービスの提供の形態は、サービス事業者の定める形態に従う。前記したようなネットワーク８を介してサービスの成果物をユーザ端末装置５に対して送信する形態に限定されない。例えば、サービスの成果物をサービス事業者端末３から紙媒体で出力しそれを郵送してもよい。更に、サービス端末装置５に対してサービスの成果物を送信する一方、ユーザ９が画面上でそれを見ているあいだに、ユーザ事業者が電話でコンサルティングを行ってもよい。
ここで、データリクエスト応答処理手順は終了する。
【０１００】
（機器情報削除処理手順）
図１８（ａ）は、本実施形態に係る機器情報削除処理手順のフローチャートである。
図１８（ｂ）は、本実施形態に係る機器情報削除処理手順のシーケンス図である。
【０１０１】
機器情報削除処理手順は、センサ機器製造事業者が、センサ機器４の製造を中止した場合、一旦送信したセンサ機器情報の内容に誤りがあった場合等に実行される。
ステップＳ３９１において、サービス管理装置２の機器情報登録削除部３１は、センサ機器製造事業者装置７から、機器フォーマットＩＤを受信する（１０９１）。
【０１０２】
ステップＳ３９２において、機器情報登録削除部３１は、機器フォーマットＩＤは登録されているか否かを判断する。
具体的には、機器情報登録削除部３１は、ステップＳ３９１において受信した機器フォーマットＩＤが機器情報データベース４１のなかに存在するか否かを確認し（１０９２）、存在する場合（ステップＳ３９２“ＹＥＳ”）は、ステップＳ３９４に進む。それ以外の場合（ステップＳ３９２“ＮＯ”）は、ステップＳ３９３に進む。
【０１０３】
ステップＳ３９３において、機器情報登録削除部３１は、センサ機器製造事業者装置７に対してエラーメッセージを送信する。そして、その後、機器情報削除処理手順を終了する。
【０１０４】
ステップＳ３９４において、機器情報登録削除部３１は、ユーザ情報データベース４３を更新する。
具体的には、機器情報登録削除部３１は、第一に、ステップＳ３９１において受信した機器フォーマットＩＤを検索キーとして、ユーザ情報データベース４３の登録センサ機器情報欄１５４を検索し、該当したレコードのユーザＩＤを取得し、登録センサ機器情報（センサ機器ＩＤと機器フォーマットＩＤの組み合わせ）を削除する（１０９３）。
このとき、該当するレコードが存在しない場合は、機器情報削除処理手順を終了する（図示せず）。
第二に、ステップＳ３９１において受信した機器フォーマットＩＤを検索キーとして、ユーザ情報データベース４３の登録サービス情報欄１５５を検索し、該当したレコードの登録サービス情報（サービスＩＤとセンサ機器ＩＤの組み合わせ）を削除する（１０９３）。
【０１０５】
ステップＳ３９５において、機器情報登録削除部３１は、ユーザガイドページ８１を更新する。
具体的には、機器情報登録削除部３１は、第一に、ステップＳ３９４において取得したレコードのユーザＩＤに関連付けられたユーザガイドページ８１を取得する。
第二に、取得したユーザガイドページ８１の登録センサ機器一覧１９１に含まれる欄１９２、１９３、・・のうち、ステップＳ３９４において削除した登録センサ機器情報に含まれるセンサ機器ＩＤに係る欄を削除する。
第三に、取得したユーザガイドページ８１の利用可能サービス一覧１９５に含まれる欄１９６、１９７、１９８、・・のうち、ステップＳ３９４において削除した登録サービス情報に含まれるセンサ機器ＩＤに係る欄の情報を加工し、当該ページが表示されたときにはその欄が強調表示されないようにする（１０９４）。
【０１０６】
ステップＳ３９６において、機器情報登録削除部３１は、機器情報データベース４１を更新する。
具体的には、機器情報登録削除部３１は、ステップＳ３９１において受信した機器フォーマットＩＤを検索キーとして機器情報データベース４１を検索し、該当したレコードを削除する（１０９５）。
【０１０７】
ステップＳ３９７において、機器情報登録削除部３１は、センサ機器製造事業者装置７に対して、削除完了メッセージを送信する（１０９６）。
ここで、機器情報削除処理手順は終了する。
【０１０８】
（ステップＳ３９６等に関連する補足説明）
ステップＳ３９６の処理を行うことにより、以降、ユーザ端末装置５は、センサ機器４の登録ができなくなる（ステップＳ３３２“ＮＯ”、Ｓ３３３）。例えば、センサ機器４に技術的な不具合が生じた場合に有効である。
センサ機器製造事業者が、その機種の製造を中止するが、ユーザ９に対するサポートは引き続き行う場合もある。この場合は、ステップＳ３９４及びＳ３９５を省略することとすれば、新規のセンサ機器４の登録はできなくなるが、一旦センサ機器４を登録したユーザ９に対するサービスは維持できる。
【０１０９】
（サービス情報削除処理手順）
図１９（ａ）は、本実施形態に係るサービス情報削除処理手順のフローチャートである。
図１９（ｂ）は、本実施形態に係るサービス情報削除処理手順のシーケンス図である。
【０１１０】
ステップＳ４０１において、サービス管理装置２のサービス情報登録削除部３２は、サービス事業者装置３から、サービスＩＤを受信する（１１０１）。
【０１１１】
ステップＳ４０２において、サービス情報登録削除部３２は、サービスＩＤは登録されているか否かを判断する。
具体的には、サービス情報登録削除部３２は、ステップＳ４０１において受信したサービスＩＤがサービス情報データベース４２のなかに存在するか否かを確認し（１１０２）、存在する場合（ステップＳ４０２“ＹＥＳ”）は、ステップＳ４０４に進む。それ以外の場合（ステップＳ４０２“ＮＯ”）は、ステップＳ４０３に進む。
【０１１２】
ステップＳ４０３において、サービス情報登録削除部３２は、サービス事業者装置３に対してエラーメッセージを送信する。そして、その後、サービス情報削除処理手順を終了する。
【０１１３】
ステップＳ４０４において、サービス情報登録削除部３２は、ユーザ情報データベース４３を更新する。
具体的には、サービス情報登録削除部３２は、ステップＳ４０１において受信したサービスＩＤを検索キーとして、ユーザ情報データベース４３の登録サービス情報欄１５５を検索し、該当したレコードのユーザＩＤを取得し、登録サービス情報（サービスＩＤとセンサ機器ＩＤの組み合わせ）を削除する（１１０３）。
このとき、該当するレコードが存在しない場合は、サービス情報削除処理手順を終了する（図示せず）。
【０１１４】
ステップＳ４０５において、サービス情報登録削除部３２は、ユーザガイドページ８１を更新する。
具体的には、サービス情報登録削除部３２は、第一に、ステップＳ４０４において取得したユーザＩＤに関連付けられたユーザガイドページ８１を取得する。
第二に、取得したユーザガイドページ８１の利用可能サービス一覧１９５に含まれる欄１９６、１９７、１９８、・・のうち、ステップＳ４０４において削除した登録サービス情報に含まれるサービスＩＤに係る欄を削除する（１１０４）。
【０１１５】
ステップＳ４０６において、サービス情報登録削除部３２は、サービス情報データベース４２を更新する。
具体的には、サービス情報登録削除部３２は、ステップＳ４０１において受信したサービスＩＤを検索キーとしてサービス情報データベース４２を検索し、該当したレコードを削除する（１１０５）。
【０１１６】
ステップＳ４０７において、サービス情報登録削除部３２は、サービス事業者装置３に対して、削除完了メッセージを送信する（１１０６）。
ここで、サービス情報削除処理手順は終了する。
【０１１７】
（ユーザ情報削除処理手順）
図２０は、本実施形態に係るユーザ情報削除処理手順のフローチャートである。
図２１は、本実施形態に係るユーザ情報削除処理手順のシーケンス図である。
【０１１８】
ステップＳ４１１において、サービス管理装置２のユーザ情報登録削除部３３は、ユーザ端末装置５から、ユーザＩＤを受信する（１１１１）。
【０１１９】
ステップＳ４１２において、ユーザ情報登録削除部３３は、ユーザＩＤは登録されているか否かを判断する。
具体的には、ユーザ情報登録削除部３３は、ステップＳ４１１において受信したユーザＩＤがユーザ情報データベース４３のなかに存在するか否かを確認し（１１１２）、存在する場合（ステップＳ４１２“ＹＥＳ”）は、ステップＳ４１４に進む。それ以外の場合（ステップＳ４１２“ＮＯ”）は、ステップＳ４１３に進む。
【０１２０】
ステップＳ４１３において、ユーザ情報登録削除部３３は、ユーザ端末装置５に対してエラーメッセージを送信する。そして、その後、ユーザ情報削除処理手順を終了する。
【０１２１】
ステップＳ４１４において、ユーザ情報登録削除部３３は、サービスＩＤを取得する。
具体的には、ユーザ情報登録削除部３３は、ステップＳ４１１において受信したユーザＩＤを検索キーとして、ユーザ情報データベース４３を検索し、該当したレコードの登録サービス情報に含まれるサービスＩＤをすべて取得する（１１１３）。
【０１２２】
ステップＳ４１５において、ユーザ情報登録削除部３３は、サービス事業者装置３に対して削除要求を送信する（１１１４）。
このとき、ユーザ情報登録削除部３３は、ステップＳ４１４において取得したサービスＩＤに基づいて、サービス事業者装置３を特定するものとする。
【０１２３】
ステップＳ４１６において、ユーザ情報登録削除部３３は、ユーザＩＤを送信する。
具体的には、ユーザ情報登録削除部３３は、ステップＳ４１１において取得したユーザＩＤを、サービス事業者装置３に対して送信し（１１１５）、サービス事業者装置３はこれを受信する。
【０１２４】
ステップＳ４１７において、サービス事業者装置３は、サービスユーザ情報登録データベース４５を更新する。
具体的には、サービス事業者装置３は、ステップＳ４１６において受信したユーザＩＤを検索キーとして、サービスユーザ情報データベース４５を検索し、該当したレコードを削除する（１１１６）。
【０１２５】
ステップＳ４１８において、ユーザ情報登録削除部３３は、削除完了メッセージを受信したか否かを判断する。
具体的には、ユーザ情報登録削除部３３は、サービス事業者装置３から削除完了メッセージ（１１１７）を受信した場合（ステップＳ４１８“ＹＥＳ”）は、ステップＳ４１９に進む。それ以外の場合（ステップＳ４１８“ＮＯ”）は、ステップＳ４１３に進む。
【０１２６】
ステップＳ４１９において、ユーザ情報登録削除部３３は、ユーザ情報データベース４３を更新する。
具体的には、ユーザ情報登録削除部３３は、ステップＳ４１１において受信したユーザＩＤを検索キーとして、ユーザ情報データベース４３を検索し、該当したレコードを削除する（１１１８）。
ステップＳ４１５〜Ｓ４１９の処理は、ステップＳ４１４において取得したすべてのサービスＩＤについて繰り返す（複数のサービス事業者装置３との遣り取りを繰り返す）。
【０１２７】
ステップＳ４２０において、ユーザ情報登録削除部３３は、ユーザ端末装置５に対して、削除完了メッセージを送信する（１１１９）。
【０１２８】
ステップＳ４２１において、ユーザ情報登録削除部３３は、ユーザガイドページ８１を削除する（１１２０）。
具体的には、ユーザ情報登録削除部３３は、ステップＳ４１１において受信したユーザＩＤに関連付けられたユーザガイドページ８１を削除する。
ここで、ユーザ情報削除処理手順は終了する。
【０１２９】
（ユーザセンサ機器削除処理手順）
図２２は、本実施形態に係るユーザセンサ機器削除処理手順のフローチャートである。
図２３は、本実施形態に係るユーザセンサ機器削除処理手順のシーケンス図である。
【０１３０】
ステップＳ４３１において、サービス管理装置２のユーザセンサ機器登録削除部３５は、センサ機器ＩＤ等を受信する。
具体的には、ユーザセンサ機器登録削除部３５は、第一に、ユーザ端末装置５から、ユーザＩＤを受信する（１１３１）と、そのユーザＩＤに関連付けられたユーザガイドページ８１をユーザ端末装置５に送信して出力装置５５に表示する。
第二に、センサ機器削除ボタン２００の押下を受信する。
第三に、ユーザ端末装置５から、センサ機器ＩＤを受信する（１１３１）
【０１３１】
ステップＳ４３２において、ユーザセンサ機器登録削除部３５は、センサ機器ＩＤは登録されているか否かを判断する。
具体的には、ユーザセンサ機器登録削除部３５は、ステップＳ４３１において受信したセンサ機器ＩＤを有するレコードがユーザ情報データベース４３のなかに存在するか否かを確認し（１１３２）、存在する場合（ステップＳ４３２“ＹＥＳ”）は、ステップＳ４３４に進む。それ以外の場合（ステップＳ４３２“ＮＯ”）は、ステップＳ４３３に進む。
【０１３２】
ステップＳ４３３において、ユーザセンサ機器登録削除部３５は、ユーザ端末装置５に対してエラーメッセージを送信する。そして、その後、ユーザセンサ機器削除処理手順を終了する。
【０１３３】
ステップＳ４３４において、ユーザセンサ機器登録削除部３５は、サービスＩＤを取得する。
具体的には、ユーザセンサ機器登録削除部３５は、ステップＳ４３１において受信したセンサ機器ＩＤを検索キーとして、ユーザ情報データベース４３の登録サービス情報欄１５５を検索し、該当したレコードの登録サービス情報に含まれるサービスＩＤをすべて取得する（１１３３）。
【０１３４】
ステップＳ４３５において、ユーザセンサ機器登録削除部３５は、サービス事業者装置３に対して削除要求を送信する（１１３４）。
このとき、ユーザセンサ機器登録削除部３５は、ステップＳ４３４において取得したサービスＩＤに基づいて、サービス事業者装置３を特定するものとする。
【０１３５】
ステップＳ４３６において、ユーザセンサ機器登録削除部３５は、センサ機器ＩＤを送信する。
具体的には、ユーザセンサ機器登録削除部３５は、ステップＳ４３１において受信したセンサ機器ＩＤを、サービス事業者装置３に対して送信し（１１３５）、サービス事業者装置３はこれを受信する。
【０１３６】
ステップＳ４３７において、サービス事業者装置３は、サービスユーザ情報データベース４５を更新する。
具体的には、サービス事業者装置３は、ステップＳ４３６において受信したセンサ機器ＩＤを検索キーとして、サービスユーザ情報データベース４５を検索し、該当したレコードを削除する（１１３６）。
【０１３７】
ステップＳ４３８において、ユーザセンサ機器登録削除部３５は、削除完了メッセージを受信したか否かを判断する。
具体的には、ユーザセンサ機器登録削除部３５は、サービス事業者装置３から削除完了メッセージ（１１３７）を受信した場合（ステップＳ４３８“ＹＥＳ”）は、ステップＳ４３９に進む。それ以外の場合（ステップＳ４３８“ＮＯ”）は、ステップＳ４３３に進む。
【０１３８】
ステップＳ４３９において、ユーザセンサ機器登録削除部３５は、ユーザ情報データベース４３を更新する。
具体的には、ユーザセンサ機器登録削除部３５は、第一に、ステップＳ４３１において受信したセンサ機器ＩＤを検索キーとして、ユーザ情報データベース４３の登録センサ機器情報欄１５４を検索し、該当したレコードを取得する。
第二に、取得したレコードの登録センサ機器情報のうち、ステップＳ４３１において受信したセンサ機器ＩＤを含む組を削除する。
第三に、ステップＳ４３１において受信したセンサ機器ＩＤを含む組が、登録サービス情報（欄１５５）のなかにも存在する場合は、そのセンサ機器ＩＤを含む組を削除する（１１３８）。
ステップＳ４３５〜Ｓ４３９の処理は、ステップＳ４３４において取得したすべてのサービスＩＤについて繰り返す（複数のサービス事業者装置３との遣り取りを繰り返す）。
【０１３９】
ステップＳ４４０において、ユーザセンサ機器登録削除部３５は、ユーザ端末装置５に対して、削除完了メッセージを送信する（１１３９）。
【０１４０】
ステップＳ４４１において、ユーザセンサ機器登録削除部３５は、ユーザガイドページ８１を更新する（１１４０）。
具体的には、ユーザセンサ機器登録削除部３５は、第一に、ステップＳ４３１において受信したユーザＩＤに関連付けられたユーザガイドページ８１を取得する。
第二に、取得したユーザガイドページ８１の登録センサ機器一覧１９１に記憶されている情報（欄１９２、１９３、・・・）のうち、ステップＳ４３１において受信したセンサ機器ＩＤに係る情報を削除する。
第二に、取得したユーザガイドページ８１の利用可能サービス一覧１９５に記憶されている情報（欄１９６、１９７、１９８、・・・）のうち、ステップＳ４３１において受信したセンサ機器ＩＤに係る情報を削除する。
ここで、ユーザセンサ機器削除処理手順は終了する。
【０１４１】
（ユーザサービス削除処理手順）
図２４は、本実施形態に係るユーザサービス削除処理手順のフローチャートである。
図２５は、本実施形態に係るユーザサービス削除処理手順のシーケンス図である。
【０１４２】
ステップＳ４５１において、サービス管理装置２のユーザサービス登録削除部３６は、サービスＩＤ等を受信する。
具体的には、ユーザサービス登録削除部３６は、第一に、ユーザ端末装置５からユーザＩＤを取得（１１５１）すると、そのユーザＩＤに関連付けられたユーザガイドページ８１をユーザ端末装置５に送信して出力装置５５に表示する。
第二に、サービス削除ボタン２０２の押下を受信する。
第三に、ユーザ端末装置５から、サービスＩＤを受信する（１１５１）。ここでは、ユーザが欄１９６、１９７、１９８、・・・をマウス等の入力装置５４で選択すると、その欄のサービスに対応するサービスＩＤがユーザ端末装置５からサービス管理装置２に対して送信されるものとする。
【０１４３】
ステップＳ４５２において、ユーザサービス登録削除部３６は、サービス事業者装置３に対して削除要求を送信する（１１５２）。
このとき、ユーザサービス登録削除部３６は、ステップＳ４５１において取得したサービスＩＤに基づいて、サービス事業者装置３を特定するものとする。
【０１４４】
ステップＳ４５３において、ユーザサービス登録削除部３６は、ユーザＩＤを送信する。
具体的には、ユーザサービス登録削除部３６は、ステップＳ４５１において受信したユーザＩＤを、サービス事業者装置３に対して送信し（１１５３）、サービス事業者装置３はこれを受信する。
【０１４５】
ステップＳ４５４において、サービス事業者装置３は、サービスユーザ情報データベース４５を更新する。
具体的には、サービス事業者装置３は、ステップＳ４５３において受信したユーザＩＤを検索キーとして、サービスユーザ情報データベース４５を検索し、該当したレコードを削除する（１１５４）。
【０１４６】
ステップＳ４５５において、ユーザサービス登録削除部３６は、削除完了メッセージを受信したか否かを判断する。
具体的には、ユーザサービス登録削除部３６は、サービス事業者装置３から削除完了メッセージ（１１５５）を受信した場合（ステップＳ４５５“ＹＥＳ”）は、ステップＳ４５７に進む。それ以外の場合（ステップＳ４５５“ＮＯ”）は、ステップＳ４５６に進む。
【０１４７】
ステップＳ４５６において、ユーザセンサ機器登録削除部３５は、ユーザ端末装置５に対してエラーメッセージを送信する。そして、その後、ユーザサービス削除処理手順を終了する。
【０１４８】
ステップＳ４５７において、ユーザサービス登録削除部３６は、ユーザ情報データベース４３を更新する。
具体的には、ユーザサービス登録削除部３６は、第一に、ステップＳ４５１において受信したユーザＩＤ及びサービスＩＤを検索キーとして、ユーザ情報データベース４３のユーザＩＤ欄１５１及び登録サービス情報欄１５５を検索し、該当したレコードを取得する。
第二に、取得したレコードの登録サービス情報のうち、ステップＳ４５１において受信したサービスＩＤを含む登録サービス情報を削除する。（１１５６）。
【０１４９】
ステップＳ４５８において、ユーザサービス登録削除部３６は、ユーザ端末装置５に対して、削除完了メッセージを送信する（１１５７）。
【０１５０】
ステップＳ４５９において、ユーザサービス登録削除部３６は、ユーザガイドページ８１を更新する。
具体的には、ユーザサービス登録削除部３６は、第一に、ステップＳ４５１において受信したユーザＩＤに関連付けられたユーザガイドページ８１を取得する。
第二に、取得したユーザガイドページ８１の利用可能サービス一覧１９５に記憶されている情報（欄１９６、１９７、１９８、・・・）のうち、ステップＳ４５１において受信したサービスＩＤに係る情報を加工し、当該ページが表示されたときにはその欄が強調表示されないようにする（１１５８）。
ここで、ユーザサービス削除処理手順は終了する。
【０１５１】
（ユーザセンサ機器削除処理手順とユーザサービス削除処理手順の関係）
なお、ユーザ９が、１つのセンサ機器４を使用して１つのサービスを受けており、そのサービスを受ける必要が消滅した場合、ユーザセンサ機器削除処理手順、ユーザサービス削除処理手順のどちらを実行しても差はない。
しかしながら、ユーザ９が、複数のセンサ機器４を使用して１つのサービスを受けており、そのうちの１つのセンサ機器４に対するサービスを受ける必要が消滅した場合（例えば、在宅の母親に対して体温計を与え、同じく在宅の父親に対して別の体温計を与え、ユーザ９本人は、１つのサービス事業者装置３から、母親の体温変化グラフと、父親の体温変化グラフを、勤務先のパソコンで受信している。母親については、そのサービスの必要がなくなった。）は、ユーザセンサ機器削除処理手順が実行されることになる。
なお、前記のユーザセンサ機器削除処理手順及びユーザサービス削除処理手順においては、センサデータ格納データベース４４のレコードを削除せず、維持することとした。このことによって、過去に収集されたセンサデータはサービス管理装置２に引き継がれ、後に、同様のサービスを再度利用するために、又は全く別のサービスを利用するために、当該センサデータが活用される。
【０１５２】
本発明は、前記した実施形態に限定されることなく、本発明の主旨を逸脱しない範囲で、変更実施が可能である。
【符号の説明】
【０１５３】
１      サービス管理システム
２      サービス管理装置
３      サービス事業者装置
４      センサ機器
５      ユーザ端末装置
６      センサゲートウエイ機器
７      センサ機器製造事業者装置
８      ネットワーク
１１、５１、６１、７１    中央制御装置（制御部）
１２、５２、６２、７２    主記憶装置（記憶部）
１３、５３、６３、７３    補助記憶装置（記憶部）
１４、５５    出力装置
１５、５４    入力装置
１６、５６、７５    通信インタフェース
３１    機器情報登録削除部
３２    サービス情報登録削除部
３３    ユーザ情報登録削除部
３４    センサデータ受信部
３５    ユーザセンサ機器登録削除部
３６    ユーザサービス登録削除部
３７    データリクエスト応答部
４１    機器情報データベース
４２    サービス情報データベース
４３    ユーザ情報データベース
４４    センサデータ格納データベース
４５    サービスユーザ情報データベース
６４    表示部
６５    センサ部
６６、７６    無線処理部
６７    アプリケーションプログラム
６８    センサ機器固有情報データベース
７７    パケット転送プログラム
７８    センサゲートウエイ機器固有情報データベース
８０    センサデータパケット
８１    ユーザガイドページ
【図１】
2010205098.tif 000003
【図２】
2010205098.tif 000004
【図３】
2010205098.tif 000005
【図４】
2010205098.tif 000006
【図５】
2010205098.tif 000007
【図６】
2010205098.tif 000008
【図７】
2010205098.tif 000009
【図８】
2010205098.tif 000010
【図９】
2010205098.tif 000011
【図１０】
2010205098.tif 000012
【図１１】
2010205098.tif 000013
【図１２】
2010205098.tif 000014
【図１３】
2010205098.tif 000015
【図１４】
2010205098.tif 000016
【図１５】
2010205098.tif 000017
【図１６】
2010205098.tif 000018
【図１７】
2010205098.tif 000019
【図１８】
2010205098.tif 000020
【図１９】
2010205098.tif 000021
【図２０】
2010205098.tif 000022
【図２１】
2010205098.tif 000023
【図２２】
2010205098.tif 000024
【図２３】
2010205098.tif 000025
【図２４】
2010205098.tif 000026
【図２５】
2010205098.tif 000027